(57)【要約】【課題】外槽に、内槽の回転方向（上向き又は下向き）に対応して制御用重錘を設けることにより、外槽をバランスよく振動させてドラム式洗濯機の振動及び床面への振動の伝達を低減することのできるドラム式洗濯機を提供すること。【解決手段】筐体１の底板２又は仕切板にサスペンション７により支持された外槽５と、この外槽５内に配設されモータにより回転駆動される内槽１１とを備え、内槽１１の上向き回転方向ａの側の外槽５の外壁に制振用錘１２を取付けた。【選択図】図１
2007143610.tif 000002
【特許請求の範囲】
【請求項１】
筐体の底板又は仕切板にサスペンションにより支持された外槽と、該外槽内に配設されモータにより回転駆動される内槽とを備え、
前記内槽の上向き回転方向の側の前記外槽の外壁に制振用錘を取付けたことを特徴とするドラム式洗濯機。
【請求項２】
筐体の底板又は仕切板にサスペンションにより支持された外槽と、該外槽内に配設されモータにより回転駆動される内槽とを備え、
前記内槽の上向き回転方向の側の前記外槽の外壁に第１の制振用錘を取付けると共に、前記内槽の下向き回転方向の側の前記外槽の外壁に前記第１の制振用錘より軽い第２の制振用錘を取付けたことを特徴とするドラム式洗濯機。
【請求項３】
前記第１の制振用錘及び第２の制振用錘の重量をほぼ等しく形成し、かつ前記外槽の中心部から前記第１の制振用錘までの距離を、前記外槽の中心部から前記第２の制振用錘までの距離より長く設定したことを特徴とする請求項２記載のドラム式洗濯機。
【請求項４】
筐体の底板又は仕切板にサスペンションにより支持された外槽と、該外槽内に配設されモータにより回転駆動される内槽とを備え、
前記内槽の上向き回転方向の側の前記外槽の外壁に水槽を取付けたことを特徴とするドラム式洗濯機。
【請求項５】
筐体の底板又は仕切板にサスペンションにより支持された外槽と、該外槽内に配設されモータにより回転駆動される内槽とを備え、
前記内槽の上向き回転方向の側の前記外槽の外壁に第１の水槽を取付けると共に、前記内槽の下向き回転方向の側の前記外槽の外壁に前記第１の水槽より小容積の第２の水槽を取付けたことを特徴とするドラム式洗濯機。
【請求項６】
前記第１の水槽及び第２の水槽の容積をほぼ等しく形成し、かつ前記外槽の中心部から前記第１の水槽までの距離を、前記外槽の中心部から前記第２の水槽までの距離より長く設定したことを特徴とする請求項５記載のドラム式洗濯機。
【請求項７】
前記水槽の下部に開閉弁を設けたことを特徴とする請求項４〜６のいずれかに記載のドラム式洗濯機。
【請求項８】
前記内槽の起動時には水槽に充水し、定常回転時には該水槽内の水を排出することを特徴とする請求項４〜７のいずれかに記載のドラム式洗濯機。
【請求項９】
筐体の底板又は仕切板にサスペンションにより支持された外槽と、該外槽内に配設されモータにより回転駆動される内槽とを備え、
前記内槽の下向き回転方向の側の筐体の側面パネルの剛性を、該側面パネルと対向する側面パネルの剛性より高く設定したことを特徴とするドラム式洗濯機。
【請求項１０】
前記内槽の下向き回転方向の側の筐体の側面パネルの板厚を、これと対向する側面パネルの板厚より厚く設定したことを特徴とする請求項９記載のドラム式洗濯機。
【請求項１１】
前記内槽の下向き回転方向の側の筐体の側面パネルに、これと対向する側面パネルの材料より剛性の高い材料を用いたことを特徴とする請求項９記載のドラム式洗濯機。
【請求項１２】
前記内槽の下向き回転方向の側の筐体の側面パネルの上下方向に、凹凸面又はリブを設けたことを特徴とする請求項９記載のドラム式洗濯機。
【請求項１３】
前記内槽の下向き回転方向の側の筐体の側面パネルに防振材を接合したことを特徴とする請求項９記載のドラム式洗濯機。
【発明の詳細な説明】
【技術分野】
【０００１】
本発明は、ドラム式洗濯機に係り、より詳しくは、振動の低減手段を備えたドラム式洗濯機に関するものである。
【背景技術】
【０００２】
従来のベースに弾性支持された外槽内に、回転可能な洗濯槽が横向きに設置されたドラム式洗濯機に、外槽及びこの外槽付設部品群の重心位置と、洗濯槽回転軸に対して対向する位置に制振用の錘を付設し、洗濯槽の回転によって発生する振動を軽減するようにしたものがある（例えば、特許文献１参照）。
【０００３】
【特許文献１】特開２００１−２６９４９７号公報（第２−３頁、図１，５）
【発明の開示】
【発明が解決しようとする課題】
【０００４】
特許文献１のドラム式洗濯機においては、外槽等の重心を回転軸と一致させるように、外槽に錘を付設しているが、ドラム式洗濯機は洗濯槽の回転方向の影響で、外槽の左右の支持位置にかかる力が異なるため、外槽にアンバランス振動が発生することになり、十分な制振効果を得ることができなかった。
【０００５】
本発明は、上記の課題を解決するためになされたもので、外槽に、内槽の回転方向（上向き又は下向き）に対応して制振用重錘を設けることにより、外槽をバランスよく振動させてドラム式洗濯機の振動及び床面への振動の伝達を軽減することのできるドラム式洗濯機を提供することを目的としたものである。
【課題を解決するための手段】
【０００６】
本発明に係るドラム式洗濯機は、筐体の底板又は仕切板にサスペンションにより支持された外槽と、該外槽内に配設されモータにより回転駆動される内槽とを備え、前記内槽の上向き回転方向の側の前記外槽の外壁に制振用錘を取付けたものである。
【発明の効果】
【０００７】
本発明によれば、外槽の重量の増加により慣性モーメントが大きくなってバランスよく振動することができるので、ドラム式洗濯機の振動及び床面への振動の伝達を低減することができる。
【発明を実施するための最良の形態】
【０００８】
［実施の形態１］
図１は本発明の実施の形態１に係るドラム式洗濯機の模式的説明図ある。
周囲が外装パネルと、下面にゴム脚３を有する底板２とによって囲まれた筐体１内には、斜め上方（又は水平方向）に向けて外槽５が配設されており、この外槽５は、下部両側に設けたブラケット６ａ，６ｂと底板２との間に設けられた、弾性支持材８と減裏装置９からなるサスペンション７、及び外槽５と筐体１との間に介装された弾性体１０によって支持されている。
【０００９】
１１は外槽５内に配設され、洗濯物が収容されて駆動モータ（図示せず）により回転自在に支持された内槽である。なお、この内槽１１は、本実施の形態においては矢印ａ方向（時計回り方向）に回転するものとする。
１２は外槽１の軸方向の長さと同じか又はこれより短い制振用錘で、内槽１１の回転が矢印ａに示すように上向き方向（以下、上向き回転方向ａという）の側の外槽５の外壁に取付けられている。
【００１０】
図２は発明者らの実験によって得られた、外槽５に設けた制振用錘１２の取付位置と、外槽５及び筐体１の振動状態との関係を示す線図である。
図１のように、外槽５の内槽１１の上向き回転方向ａの側の外壁に制振用錘１２を取付けた場合は、図２（ａ）に示すように、制振用錘１２を設けない場合に比べて、外槽５の振動が大幅に低減し、また、内槽１１の回転が矢印ｂに示すように下向き方向（以下、下向き回転方向ｂという）の側の外槽５に制振用錘１２を取付けた場合は、制振用錘１２を設けない場合に比べて外槽５の振動が若干低下するが、上向き回転方向ａの側に制振用錘１２を取付けた場合に比べると、制振効果は相当低い。
さらに、外槽２の両側の対称位置に制振用錘１２を設けた場合は、内槽１１の上向き回転方向ａのみに制振用錘を設けた場合とほぼ同様の外槽５の振動低減効果を有することがわかった。
【００１１】
また、筐体１の振動は、図２（ｂ）に示すように、内槽１１の上向き回転方向ａの側に制振用錘１２を取付けた場合は、制振用錘１２を設けない場合に比べて筐体１の振動が大幅に低減し、また、内槽１１の下向き回転方向ｂの側に制振用錘１２を取付けた場合も筐体１の振動は低減するが、上向き回転方向ａの側に制振用錘１２を取付けた場合に比べると、制振効果は低い。
さらに、外槽２の両側の対称位置に制振用錘１２を設けた場合は、内槽２の上向き回転方向ａのみに制振用錘を設けた場合に比べて、外槽２の振動低減効果がさらに向上することがわかった。
【００１２】
本実施の形態は、内槽１１の上向き回転方向ａの側において外槽５の外壁に制振用錘１２を設けたので、外槽５の重量増により慣性モーメントが大きくなって外槽５がバランスよく振動するため、内槽１１から伝播された外槽５の振動を大幅に低減することができ、これにより、ドラム式洗濯機の振動及び床面への振動の伝達力を低減することができる。
【００１３】
図３は実施の形態１に係るドラム式洗濯機の他の例の模式的説明図である。
本例は、内槽１１の上向き回転方向ａの側の外槽５の外壁に第１の制振用錘１３ａを取付けると共に、下向き回転方向ｂの側の外槽５の外壁の制振用錘１３ａと対称位置に、第１の制振用錘１３ａより重量の小さい（軽い）第２の制振用錘１３ｂを取付けたものである。
【００１４】
本例においても、図２に示すように、図１のドラム式洗濯機とほぼ同様の効果が得られるが、さらに、外槽５の両側に制振用錘１３ａ，１３ｂを取付けたので、重量の増加により慣性モーメントがより大きくなるため、ドラム式洗濯機の振動及び床面への振動の伝達をより低減することができる。
【００１５】
図４は実施の形態１に係るドラム式洗濯機のさらに他の例の模式的説明図である。
本例は、内槽１１の上向き回転方向ａの側の外槽５の外壁に、取付台１５を介して第１の制振用錘１４ａを取付けると共に、内槽１１の下向き回転方向ｂの側の外槽５の外壁の制振用錘１４ａと対称位置に、第１の制振用錘１４ａとほぼ同じ重量の第２の制振用錘１４ｂを直接取付けて、外槽５の中心から第１の制振用錘１４ａまでの距離Ｌ1を、第２の制振用錘１４ｂまでの距離Ｌ2より長く、Ｌ1＞Ｌ2に構成したものである。
【００１６】
本例においては、外槽５の両側に取付けた制振用錘１４ａ，１４ｂの外槽５の中心部からの距離Ｌ1＞Ｌ2に構成したので、外槽５の慣性モーメントが大きくなり、図３の例の場合とほぼ同様に、ドラム式洗濯機の振動及び床面への振動の伝達を低減することができる。
【００１７】
［実施の形態２］
図５は本発明の実施の形態２に係るドラム式洗濯機の模式的説明図である。なお、実施の形態１と同じ部分にはこれと同じ符号を付し、説明を省略する。
図において、１６ａは内槽１１の上向き回転方向ａの側の外槽５の外壁に取付けた第１の水槽、１６ｂは下向き回転方向ｂの側の外槽５の外壁に取付けた第２の水槽で、第１の水槽１６ａの容積Ｖ1を、第２の水槽１６ｂの容積Ｖ2より大きく、Ｖ1＞Ｖ2としたものである。１７は両水槽１６ａ，１６ｂの下部に設けた開閉弁である。
【００１８】
図６は発明者らの実験によって得られた内槽１１の起動時における外槽５の振動ピーク、及び定常回転時の外槽５の振動状態と水槽１６ａ，１６ｂとの関係を示す線図である。なお、図には水が入れられた第１，第２の水槽１６ａ，１６ｂを錘と表示してある。
【００１９】
図に示すように、外槽５の内槽１１の上向き回転方向ａの側のみに水槽１６を設けて水を充した場合は、起動時には水槽１６を設けない場合に比べて、外槽５の振動が大幅に低減するが、定常回転時には、水槽１６を設けない場合に比べて外槽５の振動は大きい。
【００２０】
また、外槽５の内槽１１の下向き回転方向ｂの側のみに水槽１６ｂを設けた水を充した場合は、起動時には水槽１６ｂを設けない場合に比べて、外槽５の振動が若干低下するが、定常回転時には、水槽１６ｂを設けない場合に比べて、外槽５の振動は相当大きい。
さらに、外槽５の両側に水槽１６ａ，１６ｂを設けて水を満した場合は、起動時には水槽１６ａ，１６ｂを設けない場合に比べて外槽５の振動は大幅に低下するが、定常回転時には水槽１６ａ，１６ｂを設けない場合に比べて外槽５の振動が相当大きくなることがわかった。
【００２１】
そこで、本実施の形態においては、起動時には水槽１６ａ，１６ｂに水を充たし、定常回転時には水槽１６ａ，１６ｂの水を排出して、外槽５、したがってドラム式洗濯機の振動を常に低くするようにしたものである。
【００２２】
以下、図７，図８により、本実施の形態の作用を説明する。図７は両水槽１６ａ，１６ｂに水を満した状態を示すもので、起動時にはこの状態で運転する。これにより、図６に示すように、起動時の外槽５の振動を低減することができる。
そして、例えば内槽１１の回転数を検出して、その回転が定常回転状態になったときは開閉弁１７を開放して水槽１６ａ，１６ｂの水を排出する。これにより、ほぼ水槽１６ａ，１６ｂを設けなかった状態になるので、図６に示すように、定常回転時における外槽５の振動を低減することができる。
【００２３】
上記の説明では、外槽５の両側の対称位置に容積の異なる水槽１６ａ，１６ｂを設けた場合を示したが、実施の形態１の図１のように、外槽５の内槽１１の上向き回転方向ａの側のみに水槽１６を設けてもよく、あるいは、図４のように、ほぼ同じ容積の水槽１６ａ，１６ｂを、外槽５の中心から異なる距離Ｌ1，Ｌ2（Ｌ1＞Ｌ2）に設けてもよい。
【００２４】
本実施の形態によれば、外槽５の内槽１１の上向き回転方向ａの側に水槽１６を設け、又は外槽５の両側の対称位置に異なる容積の水槽１６ａ，１６ｂを設けて、内槽１１の起動時には水槽１６又は水槽１６ａ，１６ｂに水を充たし、内槽１１が定常回転になったときはこれらの水槽１６、１６ａ，１６ｂ内の水を排出するようにしたので、内槽１１の起動時及び定常回転時において、常に外槽５の振動及びこれに伴うドラム式洗濯機の振動を低減することができる。
【００２５】
［実施の形態３］
発明者らの実験結果によれば、ドラム式洗濯機においては、内槽１１の下向き回転方向ｂの側の筐体１の側面パネルの振動が最も大きいことがわかった。
そこで、本実施の形態においては、内槽１１の下向き回転方向ｂの側の筐体１の側面パネルの剛性を、これと対向する他方の側面パネルの剛性より高くして、側面パネル、したがってドラム式洗濯機の振動を低減するようにしたものである。
【００２６】
次に、図９〜図１２により本実施の形態の構成について説明する。なお、実施の形態１と同じ部分にはこれと同じ符号を付し、説明を省略する。
図９のドラム式洗濯機は、内槽１１の下向き回転方向ｂの側の側面パネル１ａの板厚ｔ1を、これと対向する他方の側面パネル１ｂの板厚ｔ2より厚く、ｔ1＞ｔ2に構成して、側面パネル１ａの剛性を高めたものである。
【００２７】
図１０のドラム式洗濯機は、内槽１１の下向き回転方向の側の側面パネル１ａを、これと対向する他方の側面パネル１ｂより剛性の高い材料で構成したものである。
また、図１１は、内槽１１の下向き回転方向ｂの側の側面パネル１ａを、例えば縦方向に波形の如き凹凸を設けた材料で構成し、あるいは、縦方向に多数のリブ（図示せず）を設けた材料で構成したものである。
【００２８】
さらに、図１２のドラム式洗濯機は、内槽１１の下向き回転方向の側の側面パネル１ａに、制振材１８を接合して制振効果をさらに高めたものである。
【００２９】
本実施の形態においては、内槽１１の下向き回転方向ｂの側の筐体１の側面パネル１ａの剛性を、これと対向する他方の側の側面パネル１ｂの剛性より高く構成したので、筐体１の振動を抑制し、ドラム式洗濯機の振動を低減することができる。
なお、本実施の形態は、実施の形態１，２のドラム式洗濯機にも実施することができる。
【００３０】
上記の説明では、内槽１１が時計回り方向に回転するドラム式洗濯機に本発明を実施した場合を示したが、内槽が反時計回り方向に回転するドラム式洗濯機にも本発明を実施することができる。
また、外槽５がサスペンション１２により筐体１の底板２に支持される場合について説明したが、外槽５がサスペンション１２により筐体１の下部に設けた仕切板に支持されるドラム式洗濯機にも本発明を実施することができる。
【図面の簡単な説明】
【００３１】
【図１】本発明の実施の形態１に係るドラム式洗濯機の模式的説明図である。
【図２】ドラム式洗濯機の外槽に設けた制振用錘の取付位置と、外槽及び筐体の振動状態との関係を示す線図である。
【図３】実施の形態１の他の例の模式的説明図である。
【図４】実施の形態１のさらに他の例の模式的説明図である。
【図５】本発明の実施の形態２に係るドラム式洗濯機の模式的説明図である。
【図６】ドラム式洗濯機の起動時における外槽の振動ピーク及び平常時における外槽の振動状態と水槽との関係を示す線図である。
【図７】実施の形態２の作用説明図である。
【図８】実施の形態２の作用説明図である。
【図９】本発明の実施の形態３に係るドラム式洗濯機の模式的説明図である。
【図１０】実施の形態３の他の例の模式的説明図である。
【図１１】実施の形態３のさらに他の例の模式的説明図である。
【図１２】実施の形態３の別の例の模式的説明図である。
【符号の説明】
【００３２】
１  筐体、１ａ，１ｂ  側面パネル、２  底板、３  ゴム脚、５  外槽、７  サスペンション、１１  内槽、１２、１３ａ，１３ｂ、１４ａ，１４ｂ  制振用錘、１６ａ，１６ｂ  水槽、１７  開閉弁、１８  制振材。
【図１】
2007143610.tif 000003
【図２】
2007143610.tif 000004
【図３】
2007143610.tif 000005
【図４】
2007143610.tif 000006
【図５】
2007143610.tif 000007
【図６】
2007143610.tif 000008
【図７】
2007143610.tif 000009
【図８】
2007143610.tif 000010
【図９】
2007143610.tif 000011
【図１０】
2007143610.tif 000012
【図１１】
2007143610.tif 000013
【図１２】
2007143610.tif 000014